(57)【要約】【課題】おむつなどの併用されるパッドのずれを防止する機構と、これを備えた吸収性物品を提供すること。【解決手段】本発明のバッドずれ防止機構は、幅広の弾性部材からなり、おむつなどの長手方向端部の近傍に、立体ギャザーとトップシートとの間に伸張状態固定されるようになっている。弾性部材は、ゴム素材であればいかなる素材で合ってよい。このようなパッドずれ防止機構は、おむつの長手方向の一方の端部近傍に取り付けられていてもよいし、あるは両端部それぞれの近傍に取り付けられていてもよい。【選択図】          図１
2005040253.tif 000002
【特許請求の範囲】
【請求項１】
トップシートと、バックシートおよびこれらの間に配置される吸収体とからなる、パッド併用可能な吸収性物品のパッドずれ防止機構であって、
該パッドずれ防止機構は所定の大きさの幅と長さを有する弾性部材からなり、これの長さ方向の両端部の各々が、前記吸収性物品の幅方向両側端部に形成された該物品の長手方向に延びる一対のフラップの各々と前記トップシートとの間に挟みこまれるようにして前記各フラップと前記トップシートの接合領域の所定の位置において取付け固着されることにより、前記パッドずれ防止機構が前記吸収性物品の長手方向の少なくとも一方の端部に近接した位置で、これにほぼ平行になるように設けられて、前記パッドを前記パッドずれ防止機構と前記トップシートとの間に挟んで固定するものであることを特徴とするパッドずれ防止機構。
【請求項２】
前記パッドずれ防止機構は、前記吸収体の長手方向の少なくとも一方の端部近傍にほぼ対応するような位置に設けられることを特徴とする請求項１に記載のパッドずれ防止機構。
【請求項３】
前記パッドずれ防止機構は、前記吸収体の長手方向の少なくとも一方の端部近傍にほぼ対応するような位置であって、前記吸収体の前記一方の端部を超えないような位置に設けられることを特徴とする請求項２に記載のパッドずれ防止機構。
【請求項４】
前記パッドずれ防止機構は、前記吸収体の長手方向の少なくとも一方の前記端部をわずかに越える程度の幅を有することを特徴とする請求項２または３に記載のパッドずれ防止機構。
【請求項５】
前記パッドずれ防止機構は、前記吸収体の長手方向両端部近傍にそれぞれ設けられていることを特徴とする請求項１から４のいずれかに記載のパッドずれ防止機構。
【請求項６】
前記パッドずれ防止機構を構成する弾性部材は、ゴム弾性を有する材料からなることを特徴とする請求項１から５のいずれかに記載のパッドずれ防止機構。
【請求項７】
前記弾性部材は、平ゴム、糸ゴムが組み込まれた不織布、伸縮性不織布、メッシュシートまたはこれらの組合せからなるものであることを特徴とする請求項６に記載のパッドずれ防止機構。
【請求項８】
前記弾性部材の少なくとも身体側に面する側が疎水性の材料からなることを特徴とする請求項１から７のいずれかに記載のパッドずれ防止機構。
【請求項９】
前記フラップと前記トップシートとの間で接合された前記弾性部材は、さらに前記一対のフラップのそれぞれの所定の位置においても接合されていることを特徴とする請求項１から８のいずれかに記載のパッドずれ防止機構。
【請求項１０】
前記パッドの裏面には固定用テープが取りつけられていることを特徴とする請求項１に記載の吸収性物品。
【請求項１１】
請求項１から１０のいずれかに記載のパッドずれ防止機構を有するテープ止め型おむつ。
【請求項１２】
請求項１から１０のいずれかに記載のパッドずれ防止機構を有するパンツ型おむつ。
【発明の詳細な説明】
【０００１】
【発明の属する技術分野】
本発明は、パッドを併用するパンツ型またはテープ止め式おむつのような吸収性物品に使用するパッドずれ防止機構と、これを備えた吸収性物品に関する。
【０００２】
【従来の技術】
最近のパンツ型やテープ止めタイプなどのおむつにおいて、補助的なパッドを併用するものがある。このようなおむつは、特に排尿のみのときなどに、おむつ自体を取り換えることなく、補助用パッドのみを取り換えることによって世話人の手間を省くことができるので便利である。また、世話人は汚れたパッドを比較的頻繁に取り換えることが容易となり、着用者の皮膚に対しても衛生的であり、皮膚のトラブルの発生も回避できる。これに加え、特に成人用おむつは安価なものではないが、おむつ本体を取り換える頻度が減少することから、費用の削減にもつながり消費者の経済的な助けとなる。しかし、一般的に、補助用パッドのおむつへの取りつけまたは取り外しが容易であるほど、逆に、着用者の動きによってずれたり、またははずれたりしやすく相反する結果が生じることがあり、尿などの排泄物が漏れるといった不具合を有することが多い。例えば、一般的なパッドを併用するおむつでは、固定テープを介しパッドをおむつに固定するようになっているが、これでは固定状態が十分ではなく、パッドがはずれたり、よれたりして尿漏れが発生したり、着用感に劣るといったおむつ本来の機能すら果せないものもある。
【０００３】
このような欠点を回避するために、おむつ本体の両側部のフラップの内面が対向する面に接着剤を設けて、両接着部に補助吸収パッドの両側部の下面を接着して保持するようになった、補助パッドを使用するものがある（例えば、特許文献１参照）。
【０００４】
また、補助用パッドが上下左右にずれ動くことを防ぐように、おむつ本体の内方に向って開口可能な一対のポケットにパッドを収めるようにした使い捨ておむつがある（例えば、特許文献２参照）。
【０００５】
【特許文献１】
実開平７−３２９号（登録番号２５１１４４３号）公報
【特許文献２】
特開平９−７５３８５号公報
【０００６】
しかし特許文献１の発明は、フラップの内面において接着剤によりパッドを固定して、フラップの間に挟むようになっているが、フラップ自体は立ち上がり，ギャザーを形成することを目的とする以上、パッドを挟んで固定するという機能と、立ち上がりギャザーを形成するという機能とは相反し矛盾するものになる。
また、特許文献２の発明では、パッドの両側部をおむつの長手方向に形成された一対のポケットに収めて上下方向のずれを防ぐようになっているが、これでは、おむつ本来の機能、すなわち脚部からの漏れなどを防ぐことが困難である。
【０００７】
【発明が解決しようとする課題】
従って、本発明は、上述したような従来技術の欠点を回避するためになされたものであり、本発明の目的は、パッドを併用する吸収性物品において、パッドの着脱が容易でありながら、パッドのずれを確実に防ぐことができるような簡単な機構からなるパッドのずれ防止機構を提供することにある。
【０００８】
さらに、本発明の別の目的はこのようなパッドのずれ防止機構を備えたパッド併用式おむつなどの吸収性物品を提供することにある。
【０００９】
さらに本発明の目的は、パッドずれ防止機構を利用して吸収性物品本体とパッドとの間から尿などの排泄物の漏れをより確実に防ぐことにある。
【００１０】
【課題を解決するための手段】
本発明のトップシートと、バックシートおよびこれらの間に配置される吸収体とからなる、パッド併用可能な吸収性物品のパッドずれ防止機構は、所定の大きさの幅と長さを有する弾性部材から構成される。該パッドずれ防止機構の長さ方向の両端部の各々が、吸収性物品の幅方向両側端部に形成された該物品の長手方向に延びる一対のフラップの各々とトップシートとの間に挟みこまれるようにして各フラップとトップシートの接合領域の所定の位置において取付け固着されるようになっている。これにより、パッドずれ防止機構が吸収性物品の長手方向の少なくとも一方の端部にほぼ平行になるように設けられることになり、併用されるパッドをパッドずれ防止機構とトップシートとの間に挟んで固定することができる。このようなパッドずれ防止機構は、吸収性物品の長手方向の一方の端部に近接した位置にのみ配置されてもよいが、他方の端部に近接した位置にも配置されてもよい。従って、このように吸収性物品に２つのパッドずれ防止機構が配置されている場合、使用時には、併用されるパッドの長手方向の両端部をそれぞれパッドずれ防止機構とトップシートとの間に挟みこむことができ、パッドを吸収性物品の吸収体と密接に固定することができる。
【００１１】
本発明のパッドずれ防止機構の吸収性物品への取りつけの際には、パッドずれ防止機構は吸収体の長手方向の少なくとも一方の端部近傍にほぼ対応するような位置に設けられることが好ましい。
【００１２】
さらに、本発明のパッドずれ防止機構は、吸収体の長手方向の少なくとも一方の端部近傍にほぼ対応するような位置であって、吸収体の一方の端部を超えないような位置に設けられていればよい。そして、このように配置される本発明のパッドずれ防止機構は、吸収体の長手方向の少なくとも一方の端部をわずかに越える程度の幅を有していてもよい。
【００１３】
また、本発明のパッドずれ防止機構は、吸収体の長手方向両端部近傍にそれぞれ１つずつ設けられていることがより好ましい。このようにパッドずれ防止機構を配置することにより、併用されるパッドの長手方向両端部を吸収体上において確実に固定することができる。
【００１４】
パッドずれ防止機構を構成する弾性部材は、ゴム弾性からなる材料から形成されていればよい。具体的には、弾性部材は、平ゴム、糸ゴムが組み込まれた不織布、伸縮性不織布、メッシュシートまたはこれらの組合せからなるものであることが好ましい。
【００１５】
【発明の実施の形態】
本発明の好ましい実施の形態について図面を参照しながら以下に説明する。以下の説明において、図面を通し同一の構成部には同一の符号を使用する。
【００１６】
図１は、本発明に係るパッドずれ防止機構を有するテープ止め式おむつ１の斜視図であり、図２は、図１に図示したおむつ１の平面図である。おむつ１は、液体透過性トップシート２と、液体不透過性バックシート４と、これらの間に配置される吸収体９と、からなり、おむつ１の着用者の腹側に対応する前側領域と背中側に対応する後側領域と、これらを接続する股領域を構成する。トップシート２とバックシート４は、吸収体９の周縁から延出されて接合されおむつ１の周縁部を形成している。このおむつ１の本体の構成は本分野において周知であるので詳細な説明は省くが、本発明に関するおむつ１において、パッドを併用するようになっているため、おむつ長手方向中央部のトップシート上に液体透過性の不織布またはポリメッシュ等が追加形成されていてもよい。
【００１７】
おむつ１の幅方向両側端部には、左右対称に一対のフラップ３が形成されている。フラップ３は、使用時にはおむつ内方の端部において立体ギャザーとして機能するように構成されており、脚部からの排泄物の漏れを防ぐように機能する。
すなわち、一対のフラップ３は、おむつ１の幅方向両側端部において、所定の幅をもっておむつ長手方向にわたり延びて、トップシート２と所定の領域１４で接合されている。そして、フラップ３の長手方向のおむつ内方側端部は自由端１１となり、自由端１１近傍に所定の長さにわたり弾性部材が伸張状態で自由端内側に固定されている。このような構成により、一対のフラップ３の自由端１１側において、いわゆる立体ギャザーを形成するようになっている。フラップ３とトップシート２との接合領域１４は、フラップ３の自由端１１において、立体ギャザーを形成できる程度の幅を自由端１１側に有することができるような位置であればよい。
【００１８】
脚部開口部６を形成するおむつ１の股領域における長手方向両端部のそれぞれには、トップシート２とバックシート４の間に少なくとも１本の弾性部材が設けられており、脚部開口部周囲にギャザーを形成し、フラップ３による立体ギャザーとともに脚部開口部６からの排泄物の漏れを防ぐようになっている。
【００１９】
おむつ１において、トップシート２は、多孔性発泡体、網状発泡体、穿孔プラスチックフィルム、木材又は綿繊維のような天然繊維、ポリエステル又はポリプロピレン繊維のような合成繊維あるいはこれらを組合せた繊維からなる不織ウェブ材料から形成されていればよい。しかし、トップシート２の材料は、これらに限定されるものではなく、一般的な不織布であればいかなるものでもよい。
【００２０】
吸収体９は、一般的に超吸収性材料として既知である高吸収性材料の粒子と混合された、木材パルプフラフのようなセルロースフラフのウェブの親水性繊維マトリックスを含んでいればよい。木材パルプフラフの代わりに合成繊維、ポリマー繊維などを使用してもよい。超吸収性粒子は、親水性繊維と均一に混合されていてもよいし、不均一に混合されていてもよい。超吸収性粒子の混合率は吸収体の厚みにより変えてもよいし、また超吸収性粒子の混合率を吸収体の部分によって変えるように構成してもよい。超吸収性材料は別個になった粒子の形態であることが好ましいが、様々な幾何学的形状であってもよい。超吸収性材料は、吸収体９の重量に対し約５から９０重量％の量で吸収体９に含まれていればよい。
【００２１】
バックシート４、フラップ３は、吸収体内において保持している液体などが下着に洩れないように防水機能を有するように、液体に対し不透過である材料から形成されていることが好ましい。通常、このような液体不透過性のバックシート４、フラップ３は、ポリエチレンフィルムなどの薄いプラスチックフィルムや、これとは別の可撓性液体不透過性材料から製造することができる。また、このようなバックシート４、フラップ３は、吸収体からの蒸気を逃しつつ、液体が通過しないように微孔性の通気性材料から形成されていてもよい。
【００２２】
フラップ３及び脚部開口部に形成される弾性部材に適する材料は、一般的なエラストマー性材料からなるストランド、又はリボン、あるいはポリウレタン、ウレタン糸ゴム、平ゴム、合成ゴム、天然ゴム、弾性フィルムなどがある。これら弾性体をシートに取りつける方法としては、本分野において公知のように超音波結合してもよいし、様々な結合パターンを使用したホットメルト接着剤などにより結合してもよい。
【００２３】
図１、２を参照すると、本発明のパッドずれ防止機構として機能する弾性体５、５´が、おむつ１の長手方向中心から外方の前側端部７、後側端部８よりのそれぞれ所定の位置に形成されている。弾性体５と５´のおむつ１への取りつけ方法は同一であり、取りつけ位置は、おむつ１の長手方向中心に対しほぼ対称に形成される。従って、弾性体５の説明と重複する点については弾性体５´に関する説明を簡略する場合がある。
【００２４】
図３（ａ）、（ｂ）は、図２に図示したおむつ１のＸ−Ｘ´に沿った断面の一部概略図であり、弾性体５の取り付け状態がわかりやすく示されている。弾性体５のおむつ１に固着される、弾性体長さ方向の第１の側端部１０が、第１のフラップ３とトップシート２との間において、フラップ３がトップシート２に接合される領域１４内でフラップ３とともに固着されている。同様に、弾性体５のおむつ１に固着される第２の側端部１０´は、第１側端部１０に対向した位置で、第２のフラップ３´とトップシート２との間において、フラップ３´がトップシート２に接合される領域１４´でフラップ３´とともに固着されている。このように弾性体５の第１及び第２側端部１０、１０´がおむつ１に取りつけられる際には、弾性体５はおむつ１の長手方向の前側端部７とほぼ平行になるように伸張状態で取り付けられる。一方、弾性体５´も弾性体５と同様の方法で、おむつ１の長手方向の中心に対し対称に後側端部８よりの位置に、これにほぼ平行となるようにしてトップシート２とフラップ３、３´の間に固着される。
【００２５】
図３（ａ）に図示するように、弾性体５の第１及び第２の側端部１０、１０´は伸張状態でトップシート２上にフラップ３とともにトップシート２に固着されているので、立体ギャザーを形成するフラップ３の自由端部１１とともに立ち上がるようになる。そして、弾性体５のトップシートに固着される第１及び第２側端部１０、１０´領域以外の中央領域は、一対の左右フラップ３、３´の間でトップシート２より少し浮いた状態となる。この弾性体５、５´とトップシート２との間に形成された空間内に、おむつ１に併用されるパッドの長手方向の端部のそれぞれが挟みこまれることになる。
【００２６】
さらに、弾性体５を浮かせる状態が望まれる場合には、接合領域１４、１４´をフラップの立ち上がり部にまで広げるようにしてもよい。
【００２７】
図３（ｂ）は、３（ａ）の別の実施形態であり、弾性体５とフラップ３との接合領域をさらに弾性体５とフラップ３の立体ギャザーを形成する自由端１１との間に形成すること以外は図３（ａ）と同一の構成である。図３（ｂ）において、弾性体５のおむつ１に固着される、弾性体長さ方向の第１の側端部１０が、第１のフラップ３とトップシート２との間において、フラップ３がトップシート２に接合される領域１４内でフラップ３とともに固着されている。同様に、弾性体５のおむつ１に固着される第２の側端部１０´は、第１側端部１０に対向した位置で、第２のフラップ３´とトップシート２との間において、フラップ３´がトップシート２に接合される領域１４´でフラップ３´とともに固着されている。さらに、弾性体５、５´が立体ギャザーを形成するフラップ３の自由端１１、１１´の所定の位置において接合され、接合領域１５、１５´が形成されている。このように本実施形態は、弾性体５とフラップとの間の接合部が接合領域１４、１４´に加え、接合領域１５、１５´も形成されることにより、図３（ａ）の構成に比較して弾性体５が浮き易くなるのでより好ましいものである。
【００２８】
さらに、このような構成の結果、フラップ３、３´と弾性体５とが相互に作用し合うことになる。つまり、弾性体５により、左右フラップ３、３´は弾性体５を介し連接されることになり、弾性体５の弾性力によりフラップ３、３´の立体ギャザーがより確実に立ち上がり立体ギャザーの性能を高めることになる。従って、立体ギャザーの外側へのめくれが防止されるという大きな利点を有することになる。
【００２９】
弾性体５、５´のおむつ１における位置関係について上述したが、さらに具体的に説明する。図４は、図３の断面図を概略的な平面図にして図示したものである。図４からわかるように、弾性体５はおむつ１の吸収体９の長手方向の一方の端部１３近傍に設けられている。弾性体５のおむつ長手方向の外方端部１２が吸収体９の長手方向の端部１３よりわずかに吸収体内方に位置するような弾性体５の取りつけ位置が好ましい。なぜならば、弾性体は排泄物の吸収を妨げることがあり、また、併用されるパッドのめくれ防止から、パッドは吸収体９の長手方向の前端部１３及び／または後端部１３´において密接するように固定されることが好ましいからである。
【００３０】
弾性体５の幅Ｗは、図４において実線で図示するように、後に使用するパッドを押さえてずれを防ぐことができる程度に十分に幅広であることが好ましい。または、例えば、図４に図示する弾性体５の破線で示した幅Ｗ´、つまり、弾性体５の取りつけ位置から吸収体９の端部１３を越えた位置となるような大きさの幅を有する弾性体５を使用することも可能である。ここで、弾性体５の幅Ｗ、Ｗ´とは、弾性体がおむつ１に固着される端部１０、１０´のそれぞれの長さをいうものとする。弾性体５の幅Ｗ、Ｗ´は、５から５０ミリメートルであればよく、１５から３０ミリメートルであることがより好ましい。弾性体５の幅Ｗは、使用されるおむつの寸法や、併用されるパッドの大きさなどによって上述の範囲内であれば適宜変更可能である。
【００３１】
本実施例においては、弾性体５は吸収体９の長手方向両端部１３、１３´のそれぞれの近傍に１つずつ形成されている。しかし、弾性体５は、吸収体９の端部１３、１３´のいずれか一方の近傍にのみ形成されていてもよい。この場合は、弾性体５の幅Ｗを、弾性体５を２つ形成する場合よりも広くすることが好ましい。
【００３２】
弾性体５は、ゴム弾性を有する材料から構成されていればよい。具体的には、図５に弾性体５に適用できる部材の様々な例を図示する。  （ａ）は、弾性体５が平ゴムであり、（ｂ）は、不織布を基材にして、糸ゴムを組み込んだものであり、（ｃ）は、伸縮性不織布であり、さらに（ｄ）は、伸縮性を有するメッシュシートである。あるいは、弾性体５はこれらを適宜組合せたものであってもよい。しかし弾性体５の材料はこれらに限定されることなく、一般的に使用可能なゴム弾性を有する材料から選択できるものである。さらに、弾性部材５の着用者の身体側に面する表面は疎水性の材料からなることが好ましい。また、弾性部材の５のおむつ１に面する表面も疎水性の材料から構成されていてもよい。
【００３３】
使用時においては、弾性体５が吸収体９の長手方向両端部１３、１３´の近傍にそれぞれ１つずつ、つまり２つ形成されている場合には、おむつ１に併用されるパッドの長手方向の両端部が弾性体５、５´にそれぞれ挟まれるようにして、パッドが設定配置される。弾性体がおむつに１つだけ形成されている場合には、例えば、併用されるパッドの固定安定性を高めるためにパッドの裏面の一部に固着用テープを取り付けてもよい。この場合、パッドの長手方向の１端部を弾性体５に挟みこみ、さらにパッド裏面の固着テープにより固定するようにする。
【００３４】
さらに、弾性体５がおむつ１に２つ形成されている場合であっても、もちろんパッドの裏面の一部に固着用テープを取りつけ、パッドのおむつへの固定性を高めるようにしてもよい。
【００３５】
本明細書において、本発明の吸収性物品に併用されるパッドについては公知であるので詳細に説明しなかったが、パッドは、吸収体９とほぼ同一の性能を有するものであればよい。ただし、パッドは、直接皮膚に接触するものであるから、トップシート２のような不織布で包み込まれていることが好ましい。
【００３６】
さらに、本発明の実施例において、テープ止め式のおむつを例にとって説明してきたが、本発明の弾性体５は、もちろんパンツ型おむつにも適用できる。さらに、本発明のパッドずれ防止機構を有するおむつは、成人用のみではなく幼児用のおむつのような吸収性物品にも適用できる。さらに、本発明のパッドずれ防止機構は、幼児のトイレット訓練用パンツなどにも適用できるものである。
【００３７】
【発明の効果】
本発明のパッドずれ防止機構を有する吸収性物品では、パッドがおむつ本体の吸収体の端部において密接するように固定されるため、ずれにくく、パッドとおむつの間隙から漏れを防ぐことができる。
【００３８】
また、ずれ防止機構となる弾性体が左右一対のフラップに固定されることになるため、左右のフラップが弾性体により繋がることになり、立体ギャザーの外側へのめくれが防止され、ひいては、フラップの立体ギャザーの性能を高めることになる。
【００３９】
さらに、本発明のパッドずれ防止機構は、従来のおむつなどの吸収性物品を利用して弾性体を設けることのみによって、簡単で容易に製造できるものであり、コストも極めて廉価なものである。
【図面の簡単な説明】
【図１】本発明のパッドずれ防止機構を備えたテープ式おむつのような吸収性物品の斜視図である。
【図２】図１に図示した本発明のパッドずれ防止機構を備えた吸収性物品の平面図である。
【図３】図２に図示した本発明に係る吸収性物品のＸ−Ｘ´線に沿った断面図である。
【図４】本発明に係る吸収性物品の弾性体と吸収体との位置関係を概略的に表す部分平面図である。
【図５】本発明係る吸収性物品の弾性体の様々な態様を表す図である。
【符号の説明】
１  おむつ
２  トップシート
３  フラップ
４  バックシート
５  弾性体
６  脚部開口部
７  前側端部
８  後側端部
９  吸収体
１０、１０´  弾性体の固着端部
１１、１１´  自由端
１４  フラップ及びトップシートの接合領域
【図１】
2005040253.tif 000003
【図２】
2005040253.tif 000004
【図３】
2005040253.tif 000005
【図４】
2005040253.tif 000006
【図５】
2005040253.tif 000007